(57)【特許請求の範囲】
【請求項１】
プリンターユニットと、該プリンターユニットの上部に当該プリンターユニット上面を開閉可能に設けられたスキャナーユニットとを備え、
前記プリンターユニットは、
インクを吐出する記録ヘッドを備え所定の方向に移動可能なヘッドユニットと、
前記ヘッドユニットの移動領域の少なくとも一部を露呈させる開口部を備えたハウジングと、
前記ハウジングの外側に位置するインク収容部と、
前記インク収容部から送られるインクを前記記録ヘッドへと導き、前記ヘッドユニットの前記移動に伴って追従変形する変形可動部を有するインクチューブと、を備え
前記スキャナーユニットは、底面に前記ヘッドユニットの移動方向に延在する突状部を備え、
前記インクチューブは、前記突状部から離れる方向に延びて前記ハウジングの外方に出る部分を有し、
前記インクチューブを複数本備え、
前記ヘッドユニットにより記録が行われた被記録媒体が排出される排出口が設けられた側を当該インクジェット記録装置の前方側としたとき、前記インクチューブは、複数本の前記インクチューブのうち少なくとも１本以上のインクチューブが、前記プリンターユニットの側部左側から前記ハウジングの外方に出て、残るインクチューブが、前記プリンターユニットの側部右側から前記ハウジングの外方に出ることを特徴とするインクジェット記録装置。
【請求項２】
プリンターユニットと、該プリンターユニットの上部に当該プリンターユニット上面を開閉可能に設けられたスキャナーユニット、とを備え、
前記プリンターユニットは、
インクを吐出する記録ヘッドを備え所定の方向に移動可能なヘッドユニットと、
前記ヘッドユニットの移動領域の少なくとも一部を露呈させる開口部を備えたハウジングと、
前記ハウジングの外側に位置するインク収容部と、
前記インク収容部から送られるインクを前記記録ヘッドへと導き、前記ヘッドユニットの前記移動に伴って追従変形する変形可動部を有するインクチューブと、を備え
前記スキャナーユニットは、底面に前記ヘッドユニットの移動方向に延在する突状部を備え、
前記インクチューブは、前記突状部の下部とは異なる位置において、前記突状部に沿う方向に延びて前記ハウジングの外方に出る部分を有し、
前記ヘッドユニットにより記録が行われた被記録媒体が排出される排出口が設けられた側を当該インクジェット記録装置の前方側としたとき、前記インクチューブは、複数本の前記インクチューブのうち少なくとも１本以上のインクチューブが、前記プリンターユニットの側部左側から前記ハウジングの外方に出て、残るインクチューブが、前記プリンターユニットの側部右側から前記ハウジングの外方に出ることを特徴とするインクジェット記録装置。
【請求項３】
請求項１に記載のインクジェット記録装置において、
前記突状部は前記装置の前記被記録媒体の排出方向と交差する方向に延在しており、
前記インクチューブの前記変形可動部の可動側端部は、前記ヘッドユニットに対して前方側に位置しており、
前記インクチューブは、前記可動側端部から前記ヘッドユニットの移動範囲内の上方を通って前記ハウジングの外方に出ることを特徴とする
インクジェット記録装置。
【請求項４】
請求項１に記載のインクジェット記録装置において、
前記突状部は前記装置の前記被記録媒体の排出方向と交差する方向に延在しており、
前記インクチューブの前記変形可動部の可動側端部は、前記ヘッドユニットに対して前方側に位置しており、
前記インクチューブは、前記可動側端部から前記ヘッドユニットの移動範囲外を通って前記ハウジングの外方に出ることを特徴とするインクジェット記録装置。
【請求項５】
請求項１に記載のインクジェット記録装置において、
前記突状部は前記被記録媒体の排出方向と交差する方向に延在しており、
前記インクチューブの前記変形可動部の可動側端部は、前記ヘッドユニットの移動線上であって該ヘッドユニットに対して上方に位置しており、
前記インクチューブは、前記可動側端部から延設され、前記ハウジングの外方に出ることを特徴とするインクジェット記録装置。
【請求項６】
請求項１に記載のインクジェット記録装置において、
前記突状部は前記被記録媒体の排出方向と交差する方向に延在しており、
前記インクチューブの前記変形可動部の可動側端部は、前記ヘッドユニットの移動線上であって該ヘッドユニットに対して上方に位置しており、
前記インクチューブは、前記可動側端部から前記ヘッドユニットの移動範囲外を通って前記ハウジングの外方に出ることを特徴とするインクジェット記録装置。
【請求項７】
請求項１に記載のインクジェット記録装置において、
前記突状部は前記装置の前記被記録媒体の排出方向と交差する方向に延在しており、
前記インクチューブの前記変形可動部の可動側端部は、前記ヘッドユニットに対して後方側に位置しており、
前記インクチューブは、前記可動側端部から延設され、前記ハウジングの外方に出ることを特徴とするインクジェット記録装置。
【請求項８】
請求項３又は５に記載のインクジェット記録装置において、
前記インクチューブは、前記突状部から離れる方向に延びて前記ハウジングの外方に出る部分までは、前記突状部の高さ方向に占める領域に位置することを特徴とするインクジェット記録装置。
【請求項９】
請求項１から８のいずれか１項に記載のインクジェット記録装置において、
前記インクチューブは、前記プリンターユニットの前記ハウジングの上を通って、前記プリンターユニットの後部から前記ハウジングの外方に出ることを特徴とするインクジェット記録装置。
【請求項１０】
請求項１から９のいずれか１項に記載のインクジェット記録装置において、
前記ハウジングの後方側に被記録媒体を給送する給送部を備え、
前記インクチューブは、前記給送部が備える前記被記録媒体の差し込み口を通って前記ハウジングの外方に出ることを特徴とするインクジェット記録装置。
【請求項１１】
請求項２に記載のインクジェット記録装置において、
前記突状部は前記装置の前記被記録媒体の排出方向と交差する方向に延在しており、
前記インクチューブは、前記変形可動部の可動側端部から、該変形可動部の長手方向の線上を前記突状部に沿って延びて前記プリンターユニットの側部から前記ハウジングの外方に出ることを特徴とするインクジェット記録装置。
【請求項１２】
請求項１１に記載のインクジェット記録装置において、
前記インクチューブは、前記突状部に沿って延びて前記ハウジングの外方に出る部分までは、前記突状部の高さ方向に占める領域に位置することを特徴とするインクジェット記録装置。
【請求項１３】
請求項１１に記載のインクジェット記録装置において、
前記インクチューブは、前記プリンターユニットの前記ハウジングの上を通って、前記プリンターユニットの側部から前記ハウジングの外方に出ることを特徴とするインクジェット記録装置。
【請求項１４】
請求項１３に記載のインクジェット記録装置において、
前記インクチューブの前記変形可動部の可動側端部は、前記ヘッドユニットの移動線上であって前記プリンターユニットのハウジング上に固定されていることを特徴とするインクジェット記録装置。
【請求項１５】
請求項１１から１４のいずれか１項に記載のインクジェット記録装置において、
前記プリンターユニットの前記ハウジングは、前記スキャナーユニットの閉状態における前記突状部に対応した両側上面に凹部を備え、
前記インクチューブは、該凹部内を通って前記プリンターユニットの側部から前記ハウジングの外方に出ることを特徴とするインクジェット記録装置。
【請求項１６】
請求項９、１３又は１４に記載のインクジェット記録装置において、
前記プリンターユニットの前記ハウジングの、閉状態にある前記スキャナーユニットの前記底面と対向する面には、前記インクチューブが前記装置の外方に出るために通る部分に凹状通路が設けられていることを特徴とするインクジェット記録装置。
【請求項１７】
請求項１から８、１０から１３のいずれか１項に記載のインクジェット記録装置において、
前記スキャナーユニットを閉じた状態において、対向する前記プリンターユニットの前記ハウジングとの間に前記インクチューブ配設用の隙間を作る閉じ位置規制部が設けられていることを特徴とするインクジェット記録装置。
【請求項１８】
請求項１から７、１１から１４のいずれか１項に記載のインクジェット記録装置において、
前記突状部と前記ヘッドユニットの上部とは、高さ方向においてオーバーラップしていることを特徴とするインクジェット記録装置。
【請求項１９】
請求項１から７、１１から１４のいずれか１項に記載のインクジェット記録装置において、
前記プリンターユニットのハウジングは、前記スキャナーユニットが閉じられた状態で前記突状部が入る凹部を備え、
前記スキャナーユニットは、閉じられた状態において前記突状部が前記プリンターユニットのハウジングと当該突状部が前記凹部に入る方向に対してオーバーラップしていることを特徴とするインクジェット記録装置。
【請求項２０】
請求項１から７、１１から１４のいずれか１項に記載のインクジェット記録装置において、
前記スキャナーユニットの突状部は、画像を読み取るためのセンサーと、前記センサーを支持しつつ移動するキャリッジと、前記キャリッジの前記移動の駆動源となるモーターが設けられていることを特徴とするインクジェット記録装置。
【発明の詳細な説明】
【技術分野】
【０００１】
本発明は、プリンターユニットと、該プリンターユニットの上部に当該プリンターユニット上面を開閉可能に設けられたスキャナーユニットとを備える複合機としてのインクジェット記録装置に関する。
【背景技術】
【０００２】
この種複合機としてのインクジェット記録装置は、例えば、特許文献１などに開示されている。ここで、このような複合機では、スキャナーユニットの底面に突状部が設けられているものがある。このようなスキャナーユニットの底面に突状部が設けられている複合機においては、プリンターユニットの外郭を成すハウジング上面の前記突状部に対応する部分には凹部が設けられている。そして、スキャナーユニットを閉じた状態で、前記突状部を前記凹部で受ける構造とすることで、装置全体の高さ方向の薄型化が図られている。
【０００３】
この突状部には、スキャナーユニットの構成要素であるセンサーユニットを搭載したセンサーキャリッジをスライド自在に支持するガイド軸とモーター駆動のセンサー移動機構が収容されている。また、この突状部は、前記プリンターユニットの構成要素である、記録ヘッドを搭載したヘッドユニットの移動方向に延在するように設けられている。  
前記ヘッドユニットにより記録が行われた被記録媒体が排出される排出口が設けられた側を当該インクジェット記録装置の前方側としたとき、前記突状部は前記インクジェット記録装置の前方寄りの位置に、前記被記録媒体の排出方向と交差する方向に延在している。
【０００４】
前記ヘッドユニットには、インクを収容するインク収容部からインクチューブを介してインクが供給される。即ち、インクチューブは、前記ヘッドユニットと前記インク収容部に両端が接続され、前記インク収容部内のインクを前記記録ヘッドへと導く、可撓性を有するチューブで構成されている。該インクチューブは、前記ヘッドユニットの前記移動に伴って追従変形する変形可動部と、インク収容部に接続される側となる追従変形しない非可動部とを有する。
【０００５】
前記突状部を有するスキャナーユニットとインクチューブを介してヘッドユニットにインクが供給されるプリンターユニットとの複合機において、機種の多様化の観点からインク収容部をプリンターユニットのハウジングの外側に配置する構造が考えられる。しかし、その場合、前記突状部の存在によって前記インクチューブの引き回しの位置によっては、前記突状部と該インクチューブが干渉し、装置全体が高さ方向に大型化する問題が発生する。
【先行技術文献】
【特許文献】
【０００６】
【特許文献１】特開２０１０−３６３９７号公報
【発明の概要】
【発明が解決しようとする課題】
【０００７】
本発明の目的は、突状部を有するスキャナーユニットと、変形可動部を有するインクチューブを介してヘッドユニットにインクが供給される構成のプリンターユニットとの複合機であるインクジェット記録装置において、インク収容部をプリンターユニットのハウジングの外側に配置する構造を採用しても装置全体が大型化する虞を低減することにある。
【課題を解決するための手段】
【０００８】
上記課題を解決する為の、本発明の第１の態様に係るインクジェット記録装置は、プリンターユニットと、該プリンターユニットの上部に当該プリンターユニット上面を開閉可能に設けられたスキャナーユニットとを備え、前記プリンターユニットは、インクを吐出する記録ヘッドを備え所定の方向に移動可能なヘッドユニットと、前記ヘッドユニットの移動領域上部の少なくとも一部を露呈させる開口部を備えたハウジングと、前記ハウジングの外側に位置するインク収容部と、前記インク収容部から送られるインクを前記記録ヘッドへと導き、前記ヘッドユニットの前記移動に伴って追従変形する変形可動部を有するインクチューブとを備え、前記スキャナーユニットは、底面に前記ヘッドユニットの移動方向に延在する突状部を備え、前記インクチューブは、前記突状部から離れる方向に延びて前記ハウジングの外方に出る部分を有するものである。
【０００９】
本態様によれば、プリンターユニットの外側に配置されたインク収容部に接続される前記インクチューブは、スキャナーユニットの前記突状部から離れる方向に延びて前記ハウジングの外方に出てインク収容部に接続される。従って、スキャナーユニットの前記突状部とインクチューブとの配置的な干渉を避けることができ、装置全体が高さ方向に大型化する虞を低減することができる。  
ここで、インクチューブは、前記ヘッドユニットの移動に伴って追従変形する変形可動部と追従変形しない非可動部を有し、前記スキャナーユニットの前記突状部から離れる方向に延びて前記ハウジングの外方に出てインク収容部に接続されるのは、当該インクチューブの内の前記非可動部である。尚、当該インクチューブは、その全体において、単一の一本のものに限定されず、複数本が接続部材によって接続されて一本になっているものも含むことは勿論である。これらは、以下に説明する各態様においても同様である。
【００１０】
本発明の第２の態様に係るインクジェット記録装置は、プリンターユニットと、該プリンターユニットの上部に当該プリンターユニット上面を開閉可能に設けられたスキャナーユニットとを備え、前記プリンターユニットは、インクを吐出する記録ヘッドを備え所定の方向に移動可能なヘッドユニットと、前記ヘッドユニットの移動領域上部の少なくとも一部を露呈させる開口部を備えたハウジングと、前記ハウジングの外側に位置するインク収容部と、前記インク収容部から送られるインクを前記記録ヘッドへと導き、前記ヘッドユニットの前記移動に伴って追従変形する変形可動部を有するインクチューブとを備え、前記スキャナーユニットは、底面に前記ヘッドユニットの移動方向に延在する突状部を備え、前記インクチューブは、前記突状部に沿う方向に延びて前記ハウジングの外方に出る部分を有するものである。
【００１１】
本態様によれば、プリンターユニットの外側に配置されたインク収容部に接続される前記インクチューブの前記非可動部は、スキャナーユニットの前記突状部に沿う方向に延びて前記ハウジングの外方に出てインク収容部に接続される。従って、スキャナーユニットの前記突状部とインクチューブとの配置的な干渉を避けることができ、装置全体が高さ方向に大型化する虞を低減することができる。
【００１２】
本発明の第３の態様に係るインクジェット記録装置は、第１の態様のインクジェット記録装置において、前記ヘッドユニットにより記録が行われた被記録媒体が排出される排出口が設けられた側を当該インクジェット記録装置の前方側としたとき、前記突状部は前記装置の前方の位置において前記被記録媒体の排出方向と交差する方向に延在しており、前記インクチューブの前記変形可動部の可動側端部は、前記ヘッドユニットに対して前方側に位置しており、前記インクチューブは、前記可動側端部から前記ヘッドユニットの移動範囲内の上方を通って前記プリンターユニットの後部から前記ハウジングの外方に出ることを特徴とする。
【００１３】
本態様は、前記インクチューブの前記変形可動部が前記ヘッドユニットに対して前方側に位置する構造を対象とする。この構造においては、前記インクチューブの前記変形可動部の可動側端部は、前記ヘッドユニットに対して前方側に位置することになる。  
本態様によれば、インクチューブの前記非可動部は、前記ヘッドユニットに対して前方側に位置する前記可動側端部から前記ヘッドユニットの移動範囲内の上方であって前記スキャナーユニットの前記底面の下に在る空間を通って前記プリンターユニットの後部から前記ハウジングの外方に出る。  
従って、スキャナーユニットの前記突状部とインクチューブとの配置的な干渉を避けることができると共に、該インクチューブの前記非可動部を前記スキャナーユニットの前記底面に沿って並列させて前記ハウジング外方に導くことが可能になる。これにより、装置全体が高さ方向に大型化する虞を低減することができる。
【００１４】
本発明の第４の態様に係るインクジェット記録装置は、第１の態様のインクジェット記録装置において、前記ヘッドユニットにより記録が行われた被記録媒体が排出される排出口が設けられた側を当該インクジェット記録装置の前方側としたとき、前記突状部は前記装置の前方の位置において前記被記録媒体の排出方向と交差する方向に延在しており、前記インクチューブの前記変形可動部の可動側端部は、前記ヘッドユニットに対して前方側に位置しており、前記インクチューブは、前記可動側端部から前記ヘッドユニットの移動範囲外を通って前記プリンターユニットの後部から前記ハウジングの外方に出ることを特徴とするものである。
【００１５】
本態様も、前記インクチューブの前記変形可動部が前記ヘッドユニットに対して前方側に位置する構造を対象とする。この構造においては、既述の通り前記インクチューブの前記変形可動部の可動側端部は、前記ヘッドユニットに対して前方側に位置することになる。  
本態様によれば、インクチューブの前記非可動部は、前記ヘッドユニットに対して前方側に位置する前記可動側端部から、前記ヘッドユニットの移動範囲外であって前記スキャナーユニットの前記底面の下に在る空間を通って前記プリンターユニットの後部から前記ハウジングの外方に出る。  
従って、スキャナーユニットの前記突状部とインクチューブとの配置的な干渉を避けることができると共に、該インクチューブの前記非可動部を前記ヘッドユニットの移動範囲外の領域において前記ヘッドユニットの高さ範囲内を引き回して前記ハウジング外方に導くことができる。これにより、装置全体が高さ方向に大型化する虞を低減することができる。
【００１６】
本発明の第５の態様に係るインクジェット記録装置は、第１の態様のインクジェット記録装置において、前記ヘッドユニットにより記録が行われた被記録媒体が排出される排出口が設けられた側を当該インクジェット記録装置の前方側としたとき、前記突状部は前記装置の前方の位置において前記被記録媒体の排出方向と交差する方向に延在しており、前記インクチューブの前記変形可動部の可動側端部は、前記ヘッドユニットの移動線上であって該ヘッドユニットに対して上方に位置しており、前記インクチューブは、前記可動側端部から延設され、前記プリンターユニットの後部から前記ハウジングの外方に出ることを特徴とするものである。
【００１７】
本態様は、前記インクチューブの前記変形可動部が前記ヘッドユニットに対して上方に位置する構造を対象とする。この構造においては、前記インクチューブの前記変形可動部の可動側端部は、前記ヘッドユニットに対して上方に位置することになる。  
本態様によれば、インクチューブの前記非可動部は、前記ヘッドユニットに対して上方に位置する前記可動側端部から前記ヘッドユニットの移動範囲内の上方であって前記スキャナーユニットの前記底面の下に在る空間を通って前記プリンターユニットの後部から前記ハウジングの外方に出る。  
従って、スキャナーユニットの前記突状部とインクチューブとの配置的な干渉を避けることができると共に、該インクチューブの前記変形可動部と前記非可動部のいずれも、前記スキャナーユニットの前記底面に沿って並列させて前記装置外方に導くことが可能になる。これにより、装置全体が高さ方向に大型化する虞を低減することができる。
【００１８】
本発明の第６の態様に係るインクジェット記録装置は、第１の態様のインクジェット記録装置において、前記ヘッドユニットにより記録が行われた被記録媒体が排出される排出口が設けられた側を当該インクジェット記録装置の前方側としたとき、前記突状部は前記装置の前方の位置において前記被記録媒体の排出方向と交差する方向に延在しており、前記インクチューブの前記変形可動部の可動側端部は、前記ヘッドユニットの移動線上であって該ヘッドユニットに対して上方に位置しており、前記インクチューブは、前記可動側端部から前記ヘッドユニットの移動範囲外を通って前記プリンターユニットの後部から前記ハウジングの外方に出ることを特徴とする
ものである。
【００１９】
本態様も、前記インクチューブの前記変形可動部が前記ヘッドユニットに対して上方に位置する構造を対象とする。この構造においては、既述の通り前記インクチューブの前記変形可動部の可動側端部は、前記ヘッドユニットに対して上方に位置することになる。  
本態様によれば、インクチューブの前記非可動部は、前記ヘッドユニットに対して上方に位置する前記可動側端部から、前記ヘッドユニットの移動範囲外であって前記スキャナーユニットの前記底面の下に在る空間を通って前記プリンターユニットの後部から前記ハウジングの外方に出る。  
従って、スキャナーユニットの前記突状部とインクチューブとの配置的な干渉を避けることができると共に、該インクチューブの前記非可動部は、前記スキャナーユニットの前記底面に沿って並列させて前記ハウジング外方に導くことが可能になる。また、該インクチューブの前記非可動部は前記ヘッドユニットの移動範囲外の領域において前記ヘッドユニットの高さ範囲内を引き回して前記ハウジング外方に導くことができる。これにより、装置全体が高さ方向に大型化する虞を低減することができる。
【００２０】
本発明の第７の態様に係るインクジェット記録装置は、第１の態様のインクジェット記録装置において、前記ヘッドユニットにより記録が行われた被記録媒体が排出される排出口が設けられた側を当該インクジェット記録装置の前方側としたとき、前記突状部は前記装置の前方の位置において前記被記録媒体の排出方向と交差する方向に延在しており、前記インクチューブの前記変形可動部の可動側端部は、前記ヘッドユニットに対して後方側に位置しており、前記インクチューブは、前記可動側端部から延設され、前記プリンターユニットの後部から前記ハウジングの外方に出ることを特徴とするものである。
【００２１】
本態様は、前記インクチューブの前記変形可動部が前記ヘッドユニットに対して後方側に位置する構造を対象とする。この構造においては、既述の通り前記インクチューブの前記変形可動部の可動側端部は、前記ヘッドユニットに対して後方側に位置することになる。  
本態様によれば、インクチューブの前記非可動部は、前記ヘッドユニットに対して後方側に位置する前記可動側端部から前記スキャナーユニットの前記底面の下の空間を通って前記プリンターユニットの後部から前記ハウジングの外方に出る。  
従って、スキャナーユニットの前記突状部とインクチューブとの配置的な干渉を避けることができると共に、該インクチューブの前記非可動部は、ヘッドユニットの後方側から直接前記スキャナーユニットの前記底面の下の空間を通って前記ハウジング外方に導くことが可能になる。これにより、装置全体が高さ方向に大型化する虞を低減することができる。
【００２２】
本発明の第８の態様に係るインクジェット記録装置は、第３の態様から第６の態様のいずれか一つ態様のインクジェット記録装置において、前記インクチューブは、前記突状部から離れる方向に延びて前記ハウジングの外方に出る部分までは、前記突状部の高さ方向に占める領域に位置することを特徴とするものである。
【００２３】
本態様によれば、スキャナーユニットの前記突状部によって作られる高さ方向の領域内に前記インクチューブの少なくとも非可動部は位置するので、装置全体が高さ方向に大型化する虞を低減することができる。
【００２４】
本発明の第９の態様に係るインクジェット記録装置は、第３の態様から第７の態様のいずれか一つ態様のインクジェット記録装置において、前記インクチューブを複数本備え、前記インクチューブは、複数本の前記インクチューブのうち少なくとも１本以上のインクチューブが、前記プリンターユニットの後部左側から前記ハウジングの外方に出て、残るインクチューブが、前記プリンターユニットの後部右側から前記ハウジングの外方に出ることを特徴とするものである。
【００２５】
本発明の第１０の態様に係るインクジェット記録装置は、第３の態様から第７の態様のいずれか一つ態様のインクジェット記録装置において、前記インクチューブは、前記プリンターユニットの前記ハウジングの上を通って、前記プリンターユニットの後部から前記ハウジングの外方に出ることを特徴とするものである。
【００２６】
本発明の第１１の態様に係るインクジェット記録装置は、第３の態様から第７の態様のいずれか一つ態様のインクジェット記録装置において、前記ハウジングの後方側に被記録媒体を給送する給送部を備え、前記インクチューブは、前記給送部が備える前記被記録媒体の差し込み口を通って前記ハウジングの外方に出ることを特徴とするものである。
【００２７】
本発明の第１２の態様に係るインクジェット記録装置は、第２の態様のインクジェット記録装置において、前記ヘッドユニットにより記録が行われた被記録媒体が排出される排出口が設けられた側を当該インクジェット記録装置の前方側としたとき、前記突状部は前記装置の前方の位置において前記被記録媒体の排出方向と交差する方向に延在しており、前記インクチューブは、前記変形可動部の可動側端部から、該変形可動部の長手方向の線上を前記突状部に沿って延びて前記プリンターユニットの側部から前記ハウジングの外方に出ることを特徴とするものである。
【００２８】
本態様によれば、インクチューブの前記非可動部は、前記変形可動部の可動側端部から、該変形可動部の長手方向の線上を前記突状部に沿って延びて前記プリンターユニットの側部から前記ハウジングの外方に出る。  
従って、スキャナーユニットの前記突状部とインクチューブとの配置的な干渉を避けることができると共に、該インクチューブの前記変形可動部と前記非可動部のいずれも、ヘッドユニットを横切ることなく、前記突状部に沿って延びて前記プリンターユニットの側部から前記装置の外方に導くことが可能になる。これにより、装置全体が高さ方向に大型化する虞を低減することができる。
【００２９】
本発明の第１３の態様に係るインクジェット記録装置は、第１２の態様のインクジェット記録装置において、前記インクチューブは、前記突状部に沿って延びて前記ハウジングの外方に出る部分までは、前記突状部の高さ方向に占める領域に位置することを特徴とするものである。
【００３０】
本態様によれば、スキャナーユニットの前記突状部によって作られる高さ方向の領域内に前記インクチューブの少なくとも非可動部は位置するので、装置全体が高さ方向に大型化する虞を低減することができる。
【００３１】
本発明の第１４の態様に係るインクジェット記録装置は、第１２の態様のインクジェット記録装置において、前記インクチューブは、前記プリンターユニットの前記ハウジングの上を通って、前記プリンターユニットの側部から前記ハウジングの外方に出ることを特徴とするものである。
【００３２】
本発明の第１５の態様に係るインクジェット記録装置は、第１４の態様のインクジェット記録装置において、前記インクチューブの前記変形可動部の可動側端部は、前記ヘッドユニットの移動線上であって前記プリンターユニットのハウジング上に固定されていることを特徴とするものである。
【００３３】
本態様は、前記インクチューブの前記変形可動部が前記ヘッドユニットに対して上方に位置する構造を対象とする。この構造においては、前記インクチューブの前記変形可動部の可動側端部は、前記ヘッドユニットに対して上方に位置することになる。  
本態様によれば、インクチューブの前記非可動部は、前記ヘッドユニットに対して上方に位置する前記可動側端部から前記ヘッドユニットの移動範囲内の上方であって前記スキャナーユニットの前記底面の下に在る空間を通って前記プリンターユニットの側部から前記ハウジングの外方に出る。  
従って、スキャナーユニットの前記突状部とインクチューブとの配置的な干渉を避けることができると共に、該インクチューブの前記非可動部は、ヘッドユニットの上方において、前記スキャナーユニットの前記底面に沿って並列させて前記ハウジング外方に導くことが可能になる。これにより、装置全体が高さ方向に大型化する虞を低減することができる。
【００３４】
本発明の第１６の態様に係るインクジェット記録装置は、第１２の態様から第１５の態様のいずれか一つ態様のインクジェット記録装置において、前記プリンターユニットの前記ハウジングは、前記スキャナーユニットの閉状態における前記突状部に対応した両側上面に凹部を備え、前記インクチューブは、該凹部内を通って前記プリンターユニットの側部から前記ハウジングの外方に出ることを特徴とするものである。
【００３５】
本発明の第１７の態様に係るインクジェット記録装置は、第１２の態様から第１５の態様のいずれか一つ態様のインクジェット記録装置において、前記インクチューブは、複数本の前記インクチューブのうち少なくとも１本以上のインクチューブが、前記プリンターユニットの側部左側から前記ハウジングの外方に出て、残るインクチューブが、前記プリンターユニットの側部右側から前記ハウジングの外方に出ることを特徴とするものである。
【００３６】
本発明の第１８の態様に係るインクジェット記録装置は、第１０の態様、第１４の態様又は第１５の態様のインクジェット記録装置において、前記プリンターユニットの前記ハウジングの、閉状態にある前記スキャナーユニットの前記底面と対向する面には、前記インクチューブが前記装置の外方に出るために通る部分に凹状通路が設けられていることを特徴とするものである。
【００３７】
本発明の第１９の態様に係るインクジェット記録装置は、第９の態様、第１１の態様から第１４の態様のいずれか一つの態様のインクジェット記録装置において、前記スキャナーユニットを閉じた状態において、対向する前記プリンターユニットの前記ハウジングとの間に前記インクチューブ配設用の隙間を作る閉じ位置規制部が設けられていることを特徴とするものである。
【００３８】
本発明の第２０の態様に係るインクジェット記録装置は、第１の態様から第７の態様、第１２の態様から第１５の態様のいずれか一つの態様のインクジェット記録装置において、前記突状部と前記ヘッドユニットの上部とは、高さ方向においてオーバーラップしていることを特徴とするものである。
【００３９】
本発明の第２１の態様に係るインクジェット記録装置は、第１の態様から第７の態様、第１２の態様から第１５の態様のいずれか一つの態様のインクジェット記録装置において、前記プリンターユニットのハウジングは、前記スキャナーユニットが閉じられた状態で前記突状部が入る凹部を備え、前記スキャナーユニットは、閉じられた状態において、前記突状部が前記プリンターユニットのハウジングと当該突状部が前記凹部に入る方向に対してオーバーラップしていることを特徴とする。  
このオーバーラップ構造は、複合機としてのインクジェット記録装置全体の薄型化を意図するものであるが、このオーバーラップ構造の装置に上記各態様の構成を適用すると、その得られる効果は大である。
【００４０】
本発明の第２２の態様に係るインクジェット記録装置は、第１の態様から第７の態様、第１２の態様から第１５の態様のいずれか一つの態様のインクジェット記録装置において、前記スキャナーユニットの突状部は、画像を読み取るためのセンサーと、前記センサーを支持しつつ移動するキャリッジと、前記キャリッジの前記移動の駆動源となるモーターが設けられていることを特徴とする。
【図面の簡単な説明】
【００４１】
【図１】本発明の第１実施形態に係るインクジェット記録装置のスキャナーユニット閉状態の外観斜視図。
【図２】本発明の第１実施形態に係るインクジェット記録装置のスキャナーユニット閉状態で原稿カバーを外し原稿台の一部を切除した外観斜視図。
【図３】本発明の第１実施形態に係るインクジェット記録装置のスキャナーユニット開状態の外観斜視図。
【図４】本発明の第１実施形態に係るインクジェット記録装置のスキャナーユニット閉状態の断面図。
【図５】本発明の第２実施形態に係るインクジェット記録装置のスキャナーユニット開状態の外観斜視図。
【図６】本発明の第３実施形態に係るインクジェット記録装置のスキャナーユニット開状態の外観斜視図。
【図７】本発明の第４実施形態に係るインクジェット記録装置のスキャナーユニット開状態の外観斜視図。
【図８】本発明の第５実施形態に係るインクジェット記録装置のスキャナーユニット開状態の外観斜視図。
【図９】本発明の第６実施形態に係るインクジェット記録装置のスキャナーユニット開状態の外観斜視図。
【図１０】本発明の第７実施形態に係るインクジェット記録装置のスキャナーユニット開状態の外観斜視図。
【図１１】本発明の第８実施形態に係るインクジェット記録装置のスキャナーユニット開状態の外観斜視図。
【図１２】本発明の第９実施形態に係るインクジェット記録装置のスキャナーユニット開状態の外観斜視図。
【図１３】本発明の第１０実施形態に係るインクジェット記録装置のスキャナーユニット開状態の外観斜視図。
【発明を実施するための形態】
【００４２】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００４３】
■■■第１実施形態■■■
以下、図１乃至図４に基づいて本発明の第１実施形態に係るインクジェット記録装置の構成を説明する。  
図１において、インクジェットプリンター１Ａは、被記録媒体の一例としての記録用紙Ｐにインクジェット記録を行うプリンターユニット２の上部に回動体（開閉体）としてのスキャナーユニット３を備えており、即ちインクジェット記録機能に加えてスキャナー機能を備える複合機として構成されている。
【００４４】
プリンターユニット２は、インクジェットプリンター１Ａの装置本体を構成し、スキャナーユニット３は、プリンターユニット２に対して回動可能に設けられており、回動することにより、閉じた状態（図１、図２、図４）と開いた状態（図３）とをとり得る。尚、スキャナーユニット３が開いた状態は、図３では図に現れないストッパーにより維持されるようになっている。
【００４５】
符号３０はプリンターユニット２の外観を構成するハウジング（筐体）であり、このハウジング３０の上面には開口部（開口領域）３１が形成されている。この開口部３１は開口部３１ａと開口部３１ｂとで構成され、第２開口領域としての開口部３１ａは装置後方側に位置し、第１開口領域としての開口部３１ｂは装置前方側に位置している。開口部３１ａは開口部３１ｂより大きく開口し、これら開口部が連なって平面視略Ｔ字の形状を成している。尚、以下では開口部３１ａ、３１ｂを特に区別する必要の無い場合にはこれら開口部を纏めて「開口部３１」と呼ぶこととする。
【００４６】
開口部３１は、後述するヘッドユニット１５の移動領域における一部の移動領域上部を露呈させる開口であり、スキャナーユニット３を開くことにより、例えば紙ジャムが生じた際のジャム処理作業（用紙の取り除き作業）を開口部３１を介して行える様になっている。尚、ヘッドユニット１５は、本実施例では、図４に示したように、その上部が開口部３１よりも上に突出しているが、移動領域の右端（図３）或いは左端に位置する際は、その上部の一部又は全部がハウジング３０の下側に隠れる高さであってもよい。
【００４７】
装置後方側には記録用紙Ｐを給送する給送部４が設けられており、符号１２は用紙Ｐを差し入れる差し込み口である給紙口を示している。この給紙口１２の内部には、セットされた用紙Ｐを給送する給送ローラー７が設けられている。
【００４８】
装置前方側には記録が行われた用紙Ｐが排出される排出口５が構成されており、この排出口５の下側には排出された用紙を受ける排紙受けトレイ６が設けられている。排紙受けトレイ６は引き出し式に構成され、各図は収納された状態を示している。  
符号９は、電源ボタンや各種印刷設定・記録実行を行う操作ボタン、印刷設定内容や印刷画像のプレビュー表示などを行う表示部、等を備えて成る操作パネルであり、符号８は当該操作パネルを備えるパネルユニットである。
【００４９】
装置内部において符号１５はヘッドユニットであり、このヘッドユニット１５の底部にインクを吐出する記録ヘッド１６が設けられている。ヘッドユニット１５が用紙幅方向に移動する過程において記録ヘッド１６からインクが吐出されることにより、用紙に記録が実行される。
【００５０】
続いて、記録ヘッド１６へインクを供給するインク供給系について説明する。本実施形態に係るヘッドユニット１５はインクカートリッジを搭載しておらず、ハウジング３０の側面に取り付けられたインクタンク３２（３２Ａ〜３２Ｄ）から、インク流路を形成する流路形成部材としてのインクチューブ２１（２１Ａ〜２１Ｄ）を介して、記録ヘッド１６へとインクを供給する様に構成されている。
【００５１】
より詳しくは、インクタンク３２Ａ〜３２Ｄは、それぞれ異なる色のインクを収容するインク収容部であり、例えばインクタンク３２Ａはブラック（ＢＫ）のインクを、インクタンク３２Ｂはイエロー（Ｙ）のインクを、インクタンク３２Ｃはマゼンタ（Ｍ）のインクを、インクタンク３２Ｄはシアン（Ｃ）のインクを、それぞれ収容する。
【００５２】
インクチューブ２１Ａ〜２１Ｄは可撓性を有するチューブであり、インクタンク３２Ａ〜３２Ｄから記録ヘッド１６に至るインク流路を形成する。尚、ヘッドユニット１５は、図４に示した中継部収容部１７により本体が構成されており、この中継部収容部１７に、各インク色に対応した中継部１９Ａ〜１９Ｄが収容されている。
【００５３】
中継部１９Ａ〜１９Ｄは、記録ヘッド１６とインクタンク３２Ａ〜３２Ｄとを中継するアダプターであり、インクチューブ３２Ａ〜３２Ｄは、それぞれ中継部１９Ａ〜１９Ｄに接続されている。換言すれば、中継部１９Ａ〜１９Ｄから、ヘッドユニット１５の外側にインクチューブ３２Ａ〜３２Ｄが延出した状態となっている。
【００５４】
尚、以下ではインクタンク３２Ａ〜３２Ｄを特に区別する必要の無い場合には「インクタンク３２」と呼び、同様にインクチューブ２１Ａ〜２１Ｄを特に区別する必要の無い場合には「インクチューブ２１」と呼び、中継部１９Ａ〜１９Ｄを特に区別する必要の無い場合には「中継部１９」と呼ぶこととする。
【００５５】
即ち、本実施例に係るインクジェット記録装置では、前記プリンターユニット２は、インクを吐出する記録ヘッド１６を備え所定の方向に移動可能なヘッドユニット１５と、前記ヘッドユニット１５の移動領域上部の少なくとも一部を露呈させる開口部３１を備えたハウジング３０と、前記ハウジング３０の外側に位置するインク収容部であるインクタンク３２と、前記ヘッドユニット１５と前記インクタンク３２に両端が接続され、前記インクタンク３２内のインクを前記記録ヘッド１６へと導く、可撓性を有するインクチューブ２１であって、前記ヘッドユニット１５の前記移動に伴って追従変形する変形可動部２０と追従変形しない非可動部２２を有するインクチューブ２１とを備えている。  
そして、前記スキャナーユニット３は、底面１０に前記ヘッドユニットの移動方向に延在する突状部１１を備え、前記インクチューブ２１の前記非可動部２２は、前記突状部１１から離れる方向に延びて前記ハウジング３０の外方に出る部分２３を有するものである。
【００５６】
本実施例において、前記ヘッドユニット１５により記録が行われた用紙Ｐが排出される排出口５が設けられた側を当該インクジェット記録装置の前方側としたとき、前記突状部１１は前記装置の前方寄りの位置において前記用紙Ｐの排出方向Ｆ（図のＸ軸方向）と交差する方向Ｗ（図のＹ軸方向）に延在している。そして、前記インクチューブ２１の前記変形可動部２０の可動側端部２７は、前記ヘッドユニットに対して前方側に位置しており、前記インクチューブ２１の前記非可動部２２は、前記可動側端部２７から前記ヘッドユニット１５の移動範囲内の上方であって前記スキャナーユニット３の前記底面１０の下に在る空間を通って、図４の破線で示したように、前記プリンターユニット２の後部から前記ハウジング３０の外方に出る構成である。
【００５７】
本実施例では、インクタンク３２がプリンターユニット２のハウジング３０の左側面に取り付けられているが、プリンターユニット２の後方側に設けてもよい。この後方側に設けることでインクチューブ２１の非可動部２２の長さを短縮することができる。
【００５８】
各図において、符号２４はインクチューブの固定具、符号２５はスキャナーユニット３の前記突状部１１の左右両端に設けられた挿入用凸部である。符号２６はプリンターユニット２のハウジング３０の上面に設けられた凹部である。符号２８は前記凹部２６の内側に設けられ、該凹部２６より浅い他の凹部である。  
該凹部２６内に前記挿入用凸部２５が入り、前記突状部１１が前記他の凹部２８に入ることで、スキャナーユニット３の閉状態が実現される。スキャナーユニット３の突状部１１がプリンターユニット２のハウジング３０の前記他の凹部２８に入ることにより両者（２、３）の高さ方向に対してオーバーラップ構造が構成される。このオーバーラップ構造によって、スキャナーユニット３との複合機としての当該インクジェット記録装置全体の薄型化が図られている。
【００５９】
図４において、符号３７は搬送用ローラー、符号３８は排出用ローラー、符号３９は用紙の支持部、符号４０はヘッドユニット１５のガイド軸である。また、符号４１はセンサー移動機構のモーター、符号４２はセンサーを含むセンサーユニットを搭載したセンサーキャリッジをスライド自在に支持するガイド軸を示す。また符号４８はスキャナーユニット３の回動支点となるスキャナー回動軸、符号４９はスキャナーユニット３の原稿カバー５０の回動支点となるカバー軸である。
【００６０】
インクチューブ２１を固定する際の固定具２４及び前記可動側端部２７を成す固定具としては、紐、ゴムバンドなどによる固定、クリップ、その他部材を利用した固定、テープによる粘着固定、接着剤に接着固定、など種々の固定構造を用いることができる。  
複数本のインクチューブ２１は、適宜の場所で、紐、ゴムバンド、クリップ等を結束手段として、結束することができる。
【００６１】
本実施例では、図４に示したように、前記インクチューブ２１の少なくとも非可動部２２は、前記突状部１１から離れる方向に延びてハウジング３０の外方に出る部分２３が前記突状部１１の高さ方向に占める領域Ｈに位置する。
【００６２】
本実施例に係るインクジェット記録装置においては、前記インクチューブ２１の前記非可動部２２は、前記プリンターユニット２の前記ハウジング３０の上を通って、前記プリンターユニット２の後部から前記ハウジング３０の外方に出る構成である。
【００６３】
また本実施例では、前記装置の後方側に記録用紙Ｐを給送する給送部４を備え、前記インクチューブ２１は、前記給送部４が備える前記用紙Ｐの差し込み口である給紙口１２を通って前記ハウジング３０の外方に出る構成である。
【００６４】
また本実施例では、前記突状部１１と前記ヘッドユニット１５の上部とは、図４に示したように、高さ方向においてオーバーラップしている構成である。
【００６５】
本実施例によれば、プリンターユニット２のハウジング３０の外側に配置されたインクタンク３２に接続される前記インクチューブ２１の前記非可動部２２は、スキャナーユニット３の前記突状部１１から離れる方向に延びて（符号２３）、前記ハウジング３０の外方に出てインクタンク３２に接続される。従って、スキャナーユニット３の前記突状部１１とインクチューブ２１との配置的な干渉を避けることができ、装置全体が高さ方向に大型化する虞を低減することができる。
【００６６】
また本実施例は、前記インクチューブ２１の前記変形可動部２０が前記ヘッドユニット１５に対して前方側に位置する構造を対象とする。この構造においては、前記インクチューブ２１の前記変形可動部２０の可動側端部２７は、前記ヘッドユニット１５に対して前方側に位置する。本実施例によれば、インクチューブ２１の前記非可動部２２は、前記ヘッドユニット１５に対して前方側に位置する前記可動側端部２７から前記ヘッドユニット１５の移動範囲内の上方であって前記スキャナーユニット３の前記底面１０の下に在る空間を通って前記プリンターユニット２の後部から前記ハウジング３０の外方に出る。
【００６７】
従って、スキャナーユニット３の前記突状部１１とインクチューブ２１との配置的な干渉を避けることができると共に、該インクチューブ２１の前記非可動部２２を前記スキャナーユニット３の前記底面１０に沿って並列させて前記ハウジング３０の外方に導くことが可能になる。これにより、装置全体が高さ方向に大型化する虞を低減することができる。
【００６８】
■■■第２実施形態■■■
図５のインクジェット記録装置１Ｂにおいて、前記インクチューブ２１の前記変形可動部２０の可動側端部２７は、前記ヘッドユニットに対して前方側に位置している。そして、前記インクチューブ２１の前記非可動部２２は、前記可動側端部２７から前記ヘッドユニット１５の移動範囲外であって前記スキャナーユニット３の前記底面１０の下に在る空間を通って前記プリンターユニット２の後部から前記ハウジング３０の外方に出る。その他の構成は、図３に示した第１実施形態と同じであるので、同一部分に同一符号を付して詳細な説明は省略する。
【００６９】
本実施例も、前記実施例と同様に、前記インクチューブ２１の前記変形可動部２０が前記ヘッドユニット１５に対して前方側に位置する構造を対象とする。この構造においては、既述の通り前記インクチューブ２１の前記変形可動部２０の可動側端部２７は、前記ヘッドユニット１５に対して前方側に位置する。  
本実施例によれば、インクチューブ２１の前記非可動部２２は、前記ヘッドユニット１５に対して前方側に位置する前記可動側端部２７から、前記ヘッドユニット１５の移動範囲外であって前記スキャナーユニット３の前記底面１０の下に在る空間を通って前記プリンターユニット２の後部から前記ハウジング３０の外方に出る。
【００７０】
従って、スキャナーユニット２の前記突状部１１とインクチューブ２１との配置的な干渉を避けることができると共に、該インクチューブ２１の前記非可動部２２を前記ヘッドユニット１５の移動範囲外の領域において前記ヘッドユニット１５の高さ範囲内を引き回して前記ハウジング外方に導くことができる。これにより、装置全体が高さ方向に大型化する虞を低減することができる。
【００７１】
■■■第３実施形態■■■
図６のインクジェット記録装置１Ｃにおいて、前記インクチューブ２１の前記変形可動部２０の可動側端部２７は、前記ヘッドユニット１５の移動線上であって該ヘッドユニット１５に対して上方に位置している。そして、前記インクチューブ２１の前記非可動部２２は、前記可動側端部２７から前記スキャナーユニット３の前記底面１０の下に在る空間を通って前記プリンターユニット２の後部から前記ハウジング３０の外方に出る。本実施例ではインクタンク３２は装置の後方側に設けられている。符号４４は、インクチューブ２１の引き回し位置を固定する固定部であり、ハウジング３０の開口部３１からヘッドユニット１５の上方に延在形成されている。  
その他の構成は、図３に示した第１実施形態と同じであるので、同一部分に同一符号を付して詳細な説明は省略する。
【００７２】
本実施例は、前記インクチューブ２１の前記変形可動部２０が前記ヘッドユニット１５に対して上方に位置する構造を対象とする。この構造においては、前記インクチューブ２１の前記変形可動部２０の可動側端部２７は、前記ヘッドユニット１５に対して上方に位置する。  
本実施例によれば、インクチューブ２１の前記非可動部２２は、前記ヘッドユニット１５に対して上方に位置する前記可動側端部２７から前記ヘッドユニット１５の移動範囲内の上方であって前記スキャナーユニット３の前記底面１０の下に在る空間を通って前記プリンターユニット２の後部から前記ハウジング３０の外方に出る。
【００７３】
従って、スキャナーユニット３の前記突状部１１とインクチューブ２１との配置的な干渉を避けることができると共に、該インクチューブ２１の前記変形可動部２０と前記非可動部２２のいずれも、ヘッドユニットの上方において、前記スキャナーユニット３の前記底面１０に沿って並列させて前記ハウジング外方に導くことが可能になる。これにより、装置全体が高さ方向に大型化する虞を低減することができる。
【００７４】
■■■第４実施形態■■■  
図７のインクジェット記録装置１Ｄにおいて、前記インクチューブ２１の前記変形可動部２０の可動側端部２７は、前記ヘッドユニット１５の移動線上であって該ヘッドユニット１５に対して上方に位置している。そして、前記インクチューブ２１の前記非可動部２２は、前記可動側端部２７から前記ヘッドユニット１５の移動範囲外であって前記スキャナーユニット３の前記底面１０の下に在る空間を通って前記プリンターユニット２の後部から前記ハウジング３０の外方に出る。  
その他の構成は、図６に示した第３実施形態と同じであるので、同一部分に同一符号を付して詳細な説明は省略する。
【００７５】
本実施例も、前記インクチューブ２１の前記変形可動部２０が前記ヘッドユニット１５に対して上方に位置する構造を対象とする。この構造においては、既述の通り前記インクチューブ２１の前記変形可動部２０の可動側端部２７は、前記ヘッドユニット１５に対して上方に位置する。  
本態様によれば、インクチューブ２１の前記非可動部２２は、前記ヘッドユニット１５に対して上方に位置する前記可動側端部２７から、前記ヘッドユニットの移動範囲外であって前記スキャナーユニット３の前記底面１０の下に在る空間を通って前記プリンターユニット２の後部から前記ハウジング３０の外方に出る。
【００７６】
従って、スキャナーユニット３の前記突状部１１とインクチューブ２１との配置的な干渉を避けることができると共に、該インクチューブ２１の前記変形可動部２０は、前記スキャナーユニット３の前記底面１０に沿って並列させて前記ハウジング３０の外方に導くことが可能になる。また、該インクチューブ２１の前記非可動部２２は、前記ヘッドユニット１５の移動範囲外の領域において前記ヘッドユニット１５の高さ範囲内を引き回して前記ハウジング外方に導くことができる。これにより、装置全体が高さ方向に大型化する虞を低減することができる。
【００７７】
■■■第５実施形態■■■  
図８のインクジェット記録装置１Ｅにおいて、前記インクチューブ２１の前記変形可動部２０の可動側端部２７は、前記ヘッドユニット１５に対して後方側に位置している。そして、前記インクチューブ２１の前記非可動部２２は、前記可動側端部２７から前記スキャナーユニット１５の前記底面１０の下の空間を通って前記プリンターユニット２の後部から前記ハウジング３０の外方に出る。  
また、本実施例では、インクチューブ２１の変形可動部２の引き回しが水平面内で行われている点が前記各実施例では垂直面内で行われている点と相違する。そのため、インクチューブ２１の引き回し位置を固定する固定部４４はＬ字型に形成されている。  
その他の構成は、図６に示した第３実施形態と同じであるので、同一部分に同一符号を付して詳細な説明は省略する。
【００７８】
本実施例は、前記インクチューブ２１の前記変形可動部２０が前記ヘッドユニット１５に対して後方側に位置する構造を対象とする。この構造においては、既述の通り前記インクチューブ２１の前記変形可動部２０の可動側端部２７は、前記ヘッドユニット１５に対して後方側に位置する。  
本実施例によれば、インクチューブ２１の前記非可動部２２は、前記ヘッドユニット１５に対して後方側に位置する前記可動側端部２７からヘッドユニットを横切ることなく、直接前記スキャナーユニット３の前記底面１０の下の空間を通って前記プリンターユニット２の後部から前記ハウジングの外方に出る。
【００７９】
従って、スキャナーユニット３の前記突状部１１とインクチューブ２１との配置的な干渉を避けることができると共に、当該インクチューブ２１の前記非可動部２２は、直接前記スキャナーユニット３の前記底面１０の下の空間を通って前記ハウジングの外方に導くことが可能になる。これにより、装置全体が高さ方向に大型化する虞を低減することができる。
【００８０】
■■■第６実施形態■■■  
図９のインクジェット記録装置１Ｆにおいて、前記インクチューブ２１を複数本である４本備え、前記インクチューブ２１の前記非可動部２２は、４本の前記インクチューブ２１のうち２本のインクチューブ２１Ａ，２１Ｂが、前記プリンターユニット２の後部左側から前記ハウジング３０の外方に出て、残るインクチューブ２１Ｃ，２１Ｄが、前記プリンターユニット２の後部右側から前記ハウジング３０の外方に出る。  
その他の構成は、図３に示した第１実施形態と同じであるので、同一部分に同一符号を付して詳細な説明は省略する。  
このように複数本のインクチューブ２１を左右に分けて引き回しても前記態様と同様の効果が得られる。
【００８１】
■■■第７実施形態■■■  
図１０のインクジェット記録装置１Ｇは、前記第１実施形態から第６実施形態と異なり、前記インクチューブ２１の前記非可動部２２は、前記突状部１１に沿う方向に延びて前記ハウジング３０の外方に出る部分を有する。  
本実施例では、前記インクチューブ２１の前記非可動部２２は、前記変形可動部２０の可動側端部２７から、該変形可動部２０の長手方向の線上を前記突状部１１に沿って延びて前記プリンターユニット２の側部から前記ハウジング３０の外方に出る。  
その他の構成は、図６に示した第３実施形態と同じであるので、同一部分に同一符号を付して詳細な説明は省略する。
【００８２】
本実施例によれば、ハウジング３０の外側に配置されたインクタンク３２に接続される前記インクチューブ２１の前記非可動部２２は、スキャナーユニット３の前記突状部１１に沿う方向に延びて前記ハウジング３０の外方に出てインクタンク３２に接続される。従って、スキャナーユニット３の前記突状部１１とインクチューブ２１との配置的な干渉を避けることができ、装置全体が高さ方向に大型化する虞を低減することができる。
【００８３】
更に本実施例によれば、インクチューブ２１の前記非可動部２２は、前記変形可動部２０の可動側端部２７から、該変形可動部２０の長手方向の線上を前記突状部１１に沿って延びて前記プリンターユニット２の側部から前記ハウジング３０の外方に出る。  
従って、該インクチューブ２１の前記変形可動部２０と前記非可動部２２のいずれも、ヘッドユニット１５を横切ることなく、前記非可動部２２を前記突状部１１に沿って延びて前記プリンターユニット２の側部から前記ハウジング３０の外方に導くことが可能になる。これにより、装置全体が高さ方向に大型化する虞を低減することができる。
【００８４】
また、本実施例では、前記インクチューブ２１の少なくとも非可動部２２は、前記突状部１１に沿って延びて前記ハウジング３０の外方に出る部分５３までは、前記突状部１１の高さ方向に占める領域Ｈに位置する。
【００８５】
本態様によれば、スキャナーユニット３の前記突状部１１によって作られる高さ方向の領域Ｈ内に前記インクチューブ２１の少なくとも非可動部２２は位置するので、装置全体が高さ方向に大型化する虞を低減することができる。
【００８６】
また、本実施例では、前記インクチューブ２１の前記非可動部２２は、前記プリンターユニット２の前記ハウジング３０の上を通って、前記プリンターユニット２の側部から前記ハウジング３０の外方に出る。
【００８７】
また、本実施例では、前記インクチューブ２１の前記変形可動部２０の可動側端部２７は、前記ヘッドユニット１５の移動線上であって前記プリンターユニット１５のハウジング３０上に固定部４４を介して固定されている。  
この実施例は、前記インクチューブ２１の前記変形可動部２０が前記ヘッドユニット１５に対して上方に位置する構造を対象とする。この構造においては、前記インクチューブ２１の前記変形可動部２０の可動側端部２７は、前記ヘッドユニット１５に対して上方に位置する。  
本実施例によれば、インクチューブ２１の前記非可動部２２は、前記ヘッドユニット１５に対して上方に位置する前記可動側端部２７から前記ヘッドユニット１５の移動範囲内の上方であって前記スキャナーユニット３の前記底面１０の下に在る空間を通って前記プリンターユニット２の側部から前記ハウジング３０の外方に出る。  
従って、該インクチューブ２１の前記非可動部２２を、ヘッドユニット１５の上方であって、前記スキャナーユニット３の前記底面１０に沿って並列させて前記ハウジング３０の外方に導くことが可能になる。これにより、装置全体が高さ方向に大型化する虞を低減することができる。
【００８８】
また、本実施例では、前記スキャナーユニット３を閉じた状態において、対向する前記プリンターユニット２の前記ハウジング３０との間に前記インクチューブ配設用の隙間を作る閉じ位置規制部である突起４６が設けられている。この突起４６によって、インクチューブ２１の非可動部２２の前記ハウジング上を横切る部分に対して、スキャナーユニット３を閉じてもハウジング３０上を通る部分が挟まれて潰れることを防止することができる。  
尚、突起４６は図示の例のような板状に限定されず、円柱、角柱、その他適宜の構造を採用できる。
【００８９】
本実施例では、インクチューブ２１の変形可動部２０が、図示のようにヘッドユニット１５上を通る垂直面内で上側反転する構造であるが、この構成に限定されない。図３のようなヘッドユニット１５の前方側で下側反転する構造、図８のようなヘッドユニット１５の後方側で水平面内で横反転する構造であっても、可動側端部２７を基点にして、スキャナーユニット３の前記底面１０の下に在る空間を通って前記プリンターユニット２の側部から前記ハウジング３０の外方に導くことができる。
【００９０】
■■■第８実施形態■■■  
図１１のインクジェット記録装置１Ｈは、前記プリンターユニット２の前記ハウジング３０は、前記スキャナーユニット３の閉状態における前記挿入用凸部２５および前記突状部１１に対応した両側上面に凹部２６及び他の凹部２８を備えている。また、前記インクチューブ２１は、該他の凹部２８及び凹部２６内を通って前記プリンターユニット２の側部から前記ハウジング３０の外方に出る。  
本実施例では、インクチューブ２１の変形可動部２０はヘッドユニット１５に対して前方側に位置している。そして、該変形可動部２０は水平面内で反転する構造である。前記可動側端部２７を設ける固定部４４は、縦向きにプリンターユニット２の底面に取り付けられている。
【００９１】
本実施例では、インクチューブ２１の変形可動部２０が、図示のようにヘッドユニット１５に対して前方側に位置し、且つ水平面内で反転する構造であるが、この構造に限定されない。図３のような下側反転構造であっても、可動側端部２７を基点にして、スキャナーユニット３の前記底面１０の下に在る空間を通って前記凹部２６から前記ハウジング３０の外方に導くことができる。
【００９２】
■■■第９実施形態■■■  
図１２のインクジェット記録装置１Ｉは、前記インクチューブ２１を複数本である４本備えている。そして、前記インクチューブ２１の前記非可動部２２は、４本の前記インクチューブ２１のうち２本のインクチューブ２１Ａ，２１Ｂが、前記プリンターユニット２の側部左側から前記ハウジング３０の外方に出て、残るインクチューブ２１Ｃ，２１Ｄが、前記プリンターユニット２の側部右側から前記ハウジング３０の外方に出る。
【００９３】
更に、本実施例では、前記プリンターユニット２の前記ハウジング３０の、閉状態にある前記スキャナーユニット３の前記底面１０と対向する面には、前記インクチューブ２１が前記ハウジング３０の外方に出るために通る部分に凹状通路５５が設けられている。  
この凹状通路５５によって、インクチューブ２１の非可動部２２の前記ハウジング上を横切る部分に対して、スキャナーユニット３を閉じても該横切る部分（ハウジング３０上を）が挟まれて潰れることを防止することができる。
【００９４】
その他の構成は、図１０に示した第７実施形態と同じであるので、同一部分に同一符号を付して詳細な説明は省略する。  
このように複数本のインクチューブ２１を左右に分けて引き回しても前記態様と同様の効果が得られる。
【００９５】
■■■第１０実施形態■■■  
図１３のインクジェット記録装置１Ｊは、図１２の実施例に対して、インクチューブ２１の変形可動部２０が、図示のようにヘッドユニット１５に対して前方側に位置し、且つ水平面内で反転する構造であることが異なる。  
更に、前記インクチューブ２１の前記非可動部２２は、４本の前記インクチューブ２１のうち２本のインクチューブ２１Ａ，２１Ｂが、前記プリンターユニット２の側部左側の前記他の凹部２８及び凹部２６から前記ハウジング３０の外方に出て、残るインクチューブ２１Ｃ，２１Ｄが、前記プリンターユニット２の側部右側の前記他の凹部２８及び凹部２６から前記ハウジング３０の外方に出ることが異なる。
【００９６】
上記各実施形態では、吐出するインクを収容したインクタンク３２Ａ〜３２Ｄをインクジェット記録装置側面側又は後方側に取り付けているが、インクジェット記録装置の本体から離して配置しても良い。また、インクタンク３２Ａ〜３２Ｄの配置位置は、インクジェット記録装置の前方であってもよい。
【符号の説明】
【００９７】
１Ａ〜１Ｊ  インクジェット記録装置、２  プリンターユニット、
３  スキャナーユニット、４  給送部、５  排紙口、６  排紙受けトレイ、
８  パネルユニット、８ｂ  下縁、９  操作部、１０  底面、１１  突状部、
１２  給紙口、１３  エッジガイド、１５  ヘッドユニット、１６  記録ヘッド、
１７  中継部収容部、１９Ａ〜１９Ｄ  中継部、２０  変形可動部、
２１（２１Ａ〜２１Ｄ）  インクチューブ、２２  非可動部、
２３  突状部から離れる方向に延びてプリンターユニットの外方に出る部分、
２４  固定具、２５  挿入用凸部、２６  凹部、２７  可動側端部、２８  他の凹部、
３０  ハウジング、３１、３１ａ、３１ｂ  開口部、３２Ａ〜３２Ｄ  インクタンク、
３７  搬送用ローラー、３８  排出用ローラー、３９  用紙の支持部、
４０  ヘッドユニットのガイド軸、４１  センサー移動機構のモーター、
４２  センサーキャリッジをスライド自在に支持するガイド軸、４４  固定部、
４６  閉じ位置規制部である突起、４８  スキャナー回動軸、  ４９  カバー軸、
５０  原稿カバー、
５３  突状部から離れる方向に延びてプリンターユニットの外方に出る部分、
５５  凹状通路
【図１】
0005991462.tif 000002
【図２】
0005991462.tif 000003
【図３】
0005991462.tif 000004
【図４】
0005991462.tif 000005
【図５】
0005991462.tif 000006
【図６】
0005991462.tif 000007
【図７】
0005991462.tif 000008
【図８】
0005991462.tif 000009
【図９】
0005991462.tif 000010
【図１０】
0005991462.tif 000011
【図１１】
0005991462.tif 000012
【図１２】
0005991462.tif 000013
【図１３】
0005991462.tif 000014